(57)【要約】【課題】上面が開口し、窓１４及び高さ位置を複数段に設定されたロック穴１７が周面に形成された陳列箱本体１０と、周辺にストッパ２９が突設された底板２０とを備えた商品陳列箱において、簡単な操作で底板２０の高さ位置を調整可能にする。【解決手段】曲げ弾性を呈する板材製の底板本体２１が、陳列箱本体１０の周面に近接する端部から幅を広げるように延長されると共に、第１の折目３１及び第２の折目３２間を傾斜面部３５として形成し、第３の折目間を底面部３６として形成し、さらに延長して背面部３７を形成する。この背面部から傾斜面部３５に固定する固定片３８を突設し、底板本体２１の裏面に接合して三角柱状のストッパ２９を形成し、延長方向の曲げ弾性でロック穴１７に係入・離脱させる。【選択図】          図１
2004350821.tif 000002
【特許請求の範囲】
【請求項１】
上面が開口し、また窓及び高さ位置を複数段に設定されたロック穴が周面に形成された陳列箱本体と、周辺にストッパが突設された底板とを備え、任意の高さ位置のロック穴にストッパを係入させて底板を陳列箱本体に支持させた状態で、商品が陳列箱本体に陳列のために収納される商品陳列箱において、
曲げ弾性を呈する板材製の底板本体が、陳列箱本体の周面にそれぞれ近接する両側の端部から幅を広げるように延長されると共に、前記端部に形成された第１の折目及びさらに延長された位置に在る第２の折目間を傾斜面部として形成し、前記第２の折目及びさらに延長された位置に在る第３の折目間を底面部として形成し、前記第３の折目からさらに延長して背面部を形成し、この背面部から固定片を延長方向へ突設し、
前記底板本体の裏面に、両側の前記第１の折目に端縁が位置するように、補強底板を接合すると共に、前記背面部が略垂直方向に位置付けされてその上端部が前記端縁に当接し得るように、前記固定片を前記傾斜面部に固定することにより、前記底面部が延長方向へ突出して前記傾斜面部を下方へ傾斜させる三角柱状のストッパを両側の端部に形成し、
ロック穴の上下幅が前記傾斜面部の上下幅よりも小さく設定されたことを特徴とする商品陳列箱。
【請求項２】
第１の折目に沿って差込み口を形成し、この差込み口に固定片を係入させることを特徴とする請求項１記載の商品陳列箱。
【請求項３】
第１の折目ラインの中間領域から延長方向へ傾斜面部に切目を入れることによりひれ部を形成し、このひれ部の裏面に固定片を接合することを特徴とする請求項１記載の商品陳列箱。
【請求項４】
第２の折目の中間領域に、この折目を横断して指を挿入し得る大きさの長方形状の操作穴が形成されることにより、この操作穴の両側に三角柱状のストッパが形成されることを特徴とする請求項１乃至請求項３のいずれか記載の商品陳列箱。
【請求項５】
底面部が背面部から略直角に突出して、直角三角柱状のストッパが形成されることを特徴とする請求項１乃至請求項４のいずれか記載の商品陳列箱。
【発明の詳細な説明】
【０００１】
【発明の属する技術分野】
本発明は、上面が開口し、また窓及び高さ位置を複数段に設定されたロック穴が周面に形成された陳列箱本体と、周辺にストッパが突設された底板とを備え、任意の高さ位置のロック穴にストッパを係入させて底板を陳列箱本体に支持させた状態で、商品、例えば多数の日用品が陳列箱本体に陳列のために収納される商品陳列箱に関するものである。
【０００２】
【従来の技術】
この種の商品陳列箱において、収納商品の大きさ或は量に応じて底板の高さを調整する場合、底板の端部に突設したひれ部を陳列箱本体の周面に形成されたロック穴に係入させたり、ロック穴に代えて、陳列箱本体の周面を切込んで折返したロック用突片に底板を載置させる等が行われている。
【０００３】
【発明が解決しようとする課題】
しかしながら、高さを切換える場合、前者では底板を撓ませてひれ部を離脱させて底板を一旦外して、再度所望のロック穴に係入させるために、操作が面倒なだけでなく、充分な重量に耐えるロック構造に構成するのは難しい。後者では、ロック用突片を周面に沿って干渉しないように折返した状態で、底板を移動させる必要があり、同様に高さ調整が面倒であり、ロック強度を確保する点でも改良の余地がある。
【０００４】
本発明は、このような点に鑑みて、簡単な操作で底板の高さ位置を調整可能にする冒頭に述べた類の商品陳列箱を提供することを目的とする。
【０００５】
【課題を解決するための手段】
本発明は、この目的を達成するために、請求項１により、上面が開口し、また窓及び高さ位置を複数段に設定されたロック穴が周面に形成された陳列箱本体と、周辺にストッパが突設された底板とを備え、任意の高さ位置のロック穴にストッパを係入させて底板を陳列箱本体に支持させた状態で、商品が陳列箱本体に陳列のために収納される商品陳列箱において、曲げ弾性を呈する板材製の底板本体が、陳列箱本体の周面にそれぞれ近接する両側の端部から幅を広げるように延長されると共に、端部に形成された第１の折目及びさらに延長された位置に在る第２の折目間を傾斜面部として形成し、第２の折目及びさらに延長された位置に在る第３の折目間を底面部として形成し、第３の折目からさらに延長して背面部を形成し、この背面部から固定片を延長方向へ突設し、底板本体の裏面に、両側の第１の折目に端縁が位置するように、補強底板を接合すると共に、背面部が略垂直方向に位置付けされてその上端部が端縁に当接し得るように、固定片を傾斜面部に固定することにより、底面部が延長方向へ突出して傾斜面部を下方へ傾斜させる三角柱状のストッパを両側の端部に形成し、ロック穴の上下幅が傾斜面部の上下幅よりも小さく設定されたことを特徴とする。
【０００６】
三角柱状のストッパは、背面部の上端部が補強底板の端縁に拘束された状態で内側に撓むことにより、傾斜面部は陳列箱本体の周面に沿って上下に摺動させ得る。三角柱状のストッパは、内側への撓みの復元力で部分的にロック穴に自動係入し、底面部がロック穴の底縁に拘束されると共に内側への離脱が補強底板て拘束される。底板を持上げると、ストッパは、その傾斜面部がロック穴の上縁に沿って内側に撓んで自動的にロック穴から離脱して摺動可能となる。
【０００７】
【発明の実施の形態】
図１乃至図４を基に本発明の実施の形態による商品陳列箱を説明する。図１に示すように、商品陳列箱は、方形状の上面が開口し、正面部１１及び側面部１３に窓１４が設けられ、両側の側面部１３の前後のコーナ部にロック穴１７が３段に形成された陳列箱本体１０と、両側にストッパ２９が突設され、前端及び後端に折目を介して補強用の折返し板２２、２３が突設された底板２０と、その中間領域のスリット２４及び陳列箱本体１０の背面部１２の３段の高さ位置に形成されたスリット１２ａに突片２７ａ，２７ｂを係入させて底板２０を仕切る仕切板２７とを備えている。
【０００８】
これらの各部は、曲げ弾性を呈する板材として艶のある白色の表面板２を貼着した段ボール１で製作され（図３参照）、陳列箱本体１０は、その側面部１３の前後の貼着片を正面部１１及び背面部１２に貼着して方形状の箱として形成され、開口部ではそれぞれの折返し板１１ａ，１２ｂを内側に折返して表面板により見栄えを確保している。
【０００９】
図２に示すように、底板本体２１における陳列箱本体１０の周面となる側面部１３にそれぞれ近接する両側の端部からは、三角形状のストッパ２９を形成するように、側方へ幅を広げるように延長された延長板３０がそれぞれ突設されている。即ち、両側の端部に形成された折目３１及び延長板３０のさらに遠方の延長位置に形成された折目３２間が傾斜面部３５として形成され、折目３２及さらに遠方位置の折目３３間が底面部３６として形成され、折目３３からさらに延長方向へ背面部３７が形成され、その端部から固定片３８が延長方向へ突設されている。折目３２の中間領域には、この折目を横断して指を挿入し得る大きさの長方形状の操作穴３４が形成されている。折目３１の中間領域には、固定片３８が係入される係入穴３９が形成されている。各折目３１〜３３は、段ボールをプレスにより圧縮して形成される。
【００１０】
底面部３６及び背面部３７は、傾斜面部３５が直角三角形の斜辺を形成する幅にそれぞれ設定されることにより、図３に示すように、各折目３１〜３３で折り曲げられて係入穴３９に固定片３８が係入されて直角三角柱状のストッパ２９が形成されると共に、底板本体２１の裏面に、両側の折目３１間に相当する幅の段ボール２枚重ねのスリット２４付きの補強底板２５が接着により全面で接合されることにより、傾斜面部３５に対する上方からの押圧に対して背面部３７の上端部が補強底板２５の端縁２５ａに略当接して、背面部３７が略垂直方向に位置付けされる。さらに、ロック穴１７の上下幅は、傾斜面部３５の上下幅よりも小さく設定されることにより、傾斜面部３５及び底面部３６がロック穴１７の上下縁にそれぞれ当接して係入した状態で、背面部３７は端縁２５ａで略垂直方向で略当接し、底面部３６が略水平方向でロック穴１７に係入するようになっている。ロック穴１７が前後に部分的に形成されていることにより、側面部１３の強度低下が抑制される。
【００１１】
尚、補強底板２５は、特に底板本体２１の全域の補強を要しない場合、１枚板でなく、両側に互いに分離して接合することもできる。曲げ弾性を呈する板材としては、他種の厚紙或は場合により金属板もしくは合成樹脂製等にすることもできる。
【００１２】
このように構成された商品陳列箱の動作を図４を参照して説明する。底板２０を陳列箱本体１０に装着する場合、両側のストッパ２９を補強底板２５の端縁２５ａに対して強制的に内側に撓ませ、折返し板２２、２３も上方へ折返して上方から押し込む。その際、両側のストッパ２９は内側に撓んだ状態で、操作穴３４の前後に形成されたそれぞれ２個の傾斜面部３５の先端が側面部１３に沿って摺動し、上段のロック穴１７に下降した時点でそれぞれ拘束を解除されて、背面部３７の上端部或は傾斜面部３５の折目３１近辺等の撓みの復元力で前後のコーナ部に分離された２個のロック穴１７に自動的に係入する。この状態で、補強底板２５は、ストッパ２９の内側への離脱を拘束すると共に、商品重量による底板本体２１の下方への撓みに対しても補強する。また、傾斜面部３５及び底面部３６がロック穴１７の上下縁にそれぞれ当接状態で係入していることにより、底板本体２１が側方へずれることがなく、水平状の底面部３６がロック穴１７の下縁に確実に支持される。
【００１３】
底板２０を中段のロック穴１７に拘束させる場合、傾斜面部３５を補強底板２５の端縁２５ａに対して強制的に内側に撓ませてロック穴１７から離脱させ、その近辺の側面部１３にそれぞれ当接させ、次いで底板本体２１を下方へ押して傾斜面部３５の先端を摺動させ、中段のロック穴１７に自動的に係入させる。同様に、下段のロック穴１７に係入させることもできる。
【００１４】
下方から上方のロック穴１７に上昇させる際には、操作穴３４に指を掛けて持上げると、傾斜面部３５がロック穴１７の上縁に沿って内側に撓み、側面部１３に沿って摺動し、所望のロック穴１７に自動的に係入する。
【００１５】
図５は別の実施の形態による固定片の固定構造を示すもので、同図Ａにおいて前述の延長板３０において、折目３１を中間領域からその間の折目を廃止すると共に、延長方向へ傾斜面部３５にカッタで切目４１を入れて、前後の折目３１に揃った折目ラインから突出するひれ部４０が形成されると共に、背面部３７の端縁に揃った折目４２を介して固定片３８が延長方向へ突設されている。これにより、各折目３１〜３３が折り曲げられると共に、固定片３８が折目４２で折曲げられてひれ部４０の裏面に接着されることにより、背面部３７の上端部が段ボール２枚重ねの補強底板２５の端縁２５ａに当接し得る直角三角形状のストッパ２９ａが形成される。
【００１６】
【発明の効果】
請求項１の発明によれば、底板のストッパ部が陳列箱本体の周面に沿って摺動して、撓みの復元力で自動的にロック穴に係入可能となり、上昇時には傾斜面部がロック穴の上縁に当接することより自動的に離脱し得る。補強底板の端縁でロック位置を拘束された両側の三角柱状のストッパにより、商品が収納された底板が強固で、かつ確実にロック状態で支持される。補強底板により底板の強度も補強可能になる。請求項２又は請求項３の発明により、ストッパは係入又は接合により三角柱状に簡単に組立てられる。その際、請求項４の発明により、操作穴により底板の操作が容易になると共に、その両側にロック穴が分離して形成されることにより、陳列箱本体の強度低下が抑制される。請求項５の発明により、直角三角形の水平状の底部がロック穴の下縁で支持されることにより、ロック状態が一層強固になる。
【図面の簡単な説明】
【図１】本発明の実施の形態による商品陳列箱の組立て前の斜視図である。
【図２】同商品陳列箱の底板の平面図である。
【図３】組立て後の図２のＡ−Ａ線に相当する部分の断面図である。
【図４】同商品陳列箱のストッパ部の拘束状態を説明する部分的に断面にした正面図である。
【図５】別の実施の形態による底板を示すもので、同図Ａは展開状態の平面図、同図Ｂその組立て後のＢ−Ｂ線に相当する部分の断面図である。
【符号の説明】
１０  陳列箱本体
１３  側面部
１４  窓
１７  ロック穴
２０  底板
２１  底板本体
２５  補強底板
２９，２９ａ  ストッパ
３０  延長板
３１，３２，３３  折目
３５  傾斜面部
３６  底面部
３７  背面部
３８  固定片
３９  係入穴
４０  ひれ部
【図１】
2004350821.tif 000003
【図２】
2004350821.tif 000004
【図３】
2004350821.tif 000005
【図４】
2004350821.tif 000006
【図５】
2004350821.tif 000007